(57)【要約】      （修正有）【課題】円滑に積み卸しができて、作業を迅速に遂行することができる廃材コンテナのスタンドを提供する。【解決手段】家庭のごみ、廃棄物、汚泥、残土などの廃材を収容する廃材コンテナのスタンドであって、上記コンテナ１を支持するコーナー部の支柱３の下端部に側方へ１５°〜７５°の上方側に向かって突き出して傾斜した設置面台７を設け、搬送台や所定の設置部に円滑に設置し、また取り出せるようにしている。コンテナ１を支持する支柱３の下端部の外側面を上方に向かって４５°〜７５°の切欠状態の傾斜面とすることが好ましく、また設置面台７の周縁部に所要の厚さに樹脂材やゴム材を被覆することが好ましい。【選択図】図１
0003180149.tif 000002
【実用新案登録請求の範囲】
【請求項１】
家庭のごみ、廃棄物、汚泥、残土などの廃材を収容する廃材コンテナのスタンドであって、
上記コンテナを支持するコーナー部の支柱の下端部に側方へ１５°〜７５°の上方側に向かって突き出して傾斜した設置面台を設けたことを特徴とする廃材コンテナのスタンド。
【請求項２】
コンテナを支持する支柱の下端部の外側面を上方に向かって４５°〜７５°の切欠状態の傾斜面とした請求項１に記載の廃材コンテナのスタンド。
【請求項３】
設置面台の周縁部に所要の厚さに樹脂材またはゴム材を被覆した請求項１または２に記載の廃材コンテナのスタンド。
【請求項４】
支柱の側面に廃材の収容量を表示する目盛を設けた請求項１ないし３のいずれかに記載の廃材コンテナのスタンド。
【請求項５】
支柱の上端部にコンテナのカバーシートを円滑に開閉可能にガイドを設けた請求項１ないし４のいずれかに記載の廃材コンテナのスタンド。
【考案の詳細な説明】
【技術分野】
【０００１】
本考案は、廃材処理分野における家庭ごみ、廃棄物、汚泥、残土などの廃材を収容し、搬送するようにした廃材コンテナのスタンドに関するものである。
【背景技術】
【０００２】
従来、運搬車に積み卸しして搬送できるようにした廃材コンテナは、断面がコ字状やＵ字状等の箱型で、その後部に排出扉が取り付けられ、廃材を収容したり、排出できるようにしている。そして、コンテナを運搬車に積卸しクレーンや油圧装置で積んだり、卸したりして、家庭ごみ、廃棄物、汚泥、残土などの廃材を廃却場に搬送して廃却できるようにしている。
【０００３】
出願人は、実用新案登録第３０３９４５１号公報や特開２００８−６２９５４号公報のように内面の両側面部を円滑な曲面形状としたコンテナを開発し、市場に提供し、好評を博してきた。
【先行技術文献】
【特許文献】
【０００４】
【特許文献１】実用新案登録第３０３９４５１号公報
【特許文献２】特開２００８−６２９５４号公報
【考案の開示】
【考案が解決しようとする課題】
【０００５】
コンテナを運搬車に積み卸したり、所定の路面等に積み卸しするので、コンテナのコーナー部に支柱を設けてコンテナを安定して設置できたり、無駄な補強材を底面に設ける必要がなくなって好ましいが、このコンテナを支持するコーナー部の支柱の下端部が水平面のため、運搬車の搭載面や路面のコンクリートに引っ掛かりが生じて損傷することがあった。
【０００６】
また、近年、法改正がなされて運搬車のバンパーが背高くなり、コンテナの積み卸しの際に支柱の下端部に当たって損傷するおそれがあった。
【課題を解決するための手段】
【０００７】
本考案は、上記のような点に鑑みたもので、上記の課題を解決するために、家庭のごみ、廃棄物、汚泥、残土などの廃材を収容する廃材コンテナのスタンドであって、上記コンテナを支持するコーナー部の支柱の下端部に側方へ１５°〜７５°の上方側に向かって突き出して傾斜した設置面台を設けたことを特徴とする廃材コンテナのスタンドを提供するにある。
【０００８】
また、コンテナを支持する支柱の下端部の外側面を上方に向かって４５°〜７５°の切欠状態の傾斜面としたことを特徴とする廃材コンテナのスタンドを提供するにある。
【０００９】
さらに、設置面台の周縁部に所要の厚さに樹脂材またはゴム材を被覆したことを特徴とする廃材コンテナのスタンドを提供するにある。
【００１０】
さらにまた、支柱の側面に廃材の収容量を表示する目盛を設けたことを特徴とする廃材コンテナのスタンドを提供するにある。
【００１１】
またさらに、支柱の上端部にコンテナのカバーシートを円滑に開閉可能にガイドを設けたことを特徴とする廃材コンテナのスタンドを提供するにある。
【考案の効果】
【００１２】
本考案の廃材コンテナのスタンドは、実用新案登録請求の範囲の請求項１に記載のように、家庭のごみ、廃棄物、汚泥、残土などの廃材を収容する廃材コンテナのスタンドであって、上記コンテナを支持するコーナー部の支柱の下端部に側方へ１５°〜７５°の上方側に向かって突き出して傾斜した設置面台を設けたことによって、コンテナを運搬車に積み卸したり、所定の路面等に積み卸しても、運搬車の搭載面や路面のコンクリートに引っ掛からず、円滑に積み卸しできて、作業を迅速に遂行することができる。
【００１３】
また、本考案の廃材コンテナのスタンドは、請求項２に記載のように、コンテナを支持する支柱の下端部の外側面を上方に向かって４５°〜７５°の切欠状態の傾斜面としたことによって、法改正がなされて運搬車のバンパーが背高くなり、コンテナの積み卸しの際に支柱の下端部に当たらないようにできて損傷を免れるようにできる。
【００１４】
さらに、本考案の廃材コンテナのスタンドは、請求項３に記載のように、設置面台の周縁部に所要の厚さに樹脂材またはゴム材を被覆したことによって、設置面台の外縁部が当っても、ソフトに接触して損傷を免れるようにできる。
【００１５】
さらにまた、本考案の廃材コンテナのスタンドは、請求項４に記載のように、支柱の側面に廃材の収容量を表示する目盛を設けたことによって、コンテナに収容する廃材の収容量を誰でも容易に把握することができる。
【００１６】
またさらに、本考案の廃材搬送用コンテナは、請求項５に記載のように、支柱の上端部にコンテナのカバーシートを円滑に開閉可能にガイドを設けたことによって、コンテナに被せるカバーシートを破れなく、スムーズに被着したり、開放したりできる。
【図面の簡単な説明】
【００１７】
【図１】本考案の一実施例の概略説明用側面図、
【図２】同上の平面図、
【図３】同上の前面図、
【図４】同上の支柱の下端部の拡大側断面図、
【図５】同上のコンテナの他の実施例の概略説明用側面図、
【図６】同上の支柱の下端部の拡大側断面図、
【図７】同上のそれぞれさらに他の実施例の支柱の下端部の拡大平断面図（ａ）と拡大側断面図（ｂ）。
【考案を実施するための形態】
【００１８】
本考案の廃材コンテナのスタンドは、家庭のごみ、廃棄物、汚泥、残土などの廃材を収容する廃材コンテナのスタンドであって、上記コンテナを支持するコーナー部の支柱の下端部に側方へ１５°〜７５°の上方側に向かって突き出して傾斜した設置面台を設けたことを特徴としている。
【００１９】
廃材コンテナ１は、図１〜図３のように２〜１０トン用等の所要の大きさの箱状にコンテナ本体２を形成して、トラック等の運搬車に積み卸し可能に搭載するもので、箱状としたコンテナ本体２に家庭ごみ、廃棄物、汚泥、残土などの廃材を収容できるようにしており、コンテナ本体２の４隅のコーナー部に所要の剛性の支柱３、４を立設し、後方下部に転動用のローラー５を設けてコンテナ１を移動容易とし、後部に開閉可能な排出扉６を設け、廃材を廃却場に廃却できるようにしている。
【００２０】
コンテナ本体２は、耐摩耗、高張力のスエーデン鋼の鋼板や一般構造用圧延鋼材や熱間圧延鋼板、溶接構造用圧延鋼材、機械構造用炭素鋼材、ステンレス圧延鋼材の適宜な鋼板を断面がコ字状やＵ字状等に適宜に接合したりして溶接して形成している。
【００２１】
このコンテナ本体２の支柱３、４は、図１〜図３のように所要の太さの角パイプや丸タイプ等のチャンネル材等の剛性を有するものとし、特に前部側（運搬車の進行方向から見て）の左右の支柱３は、図１〜図３のようにその下端部に側方へ１５°〜７５°の上方側に向かって突き出して傾斜した設置面台７を溶接して一体的に装着している。
【００２２】
設置面台７は、図４のように所要の傾斜角として側方、上方側に向かって突き出し、コンテナ１を運搬車に積み卸したり、所定の路面等に積み卸しても、運搬車の搭載面や路面のコンクリートに引っ掛からず、円滑に積み卸しすることができるようにしている。
【００２３】
上記設置面台７の側方の傾斜角Ａとしては、図４のように１５°〜４５°位が、運搬車の搭載面や路面のコンクリートに引っ掛かりがなくて好ましく、傾斜角Ａが余りなかったり、余り急勾配にすると引っ掛かりが生じて好ましくない。
【００２４】
また、この設置面台７は、５〜１０ｍｍ厚さの鋼板として、支柱３のまわりに３０〜５０ｍｍ位程側方に突き出すのが好ましく、突き出し量が少なすぎると効果を挙げられず、余り多すぎると邪魔になって好ましくない。
【００２５】
なお、図１のように上記支柱３の側面に目盛８を付して、たとえば１ｍ3 、２ｍ3 、３ｍ3 ・・・７ｍ3 等の廃材の収容量を表示し、収容する廃材量を誰でもが容易に分かるようにしている。
【００２６】
また、上記した設置面台７の周縁部にビニール、ナイロン、ポレウレタン等の軟質の合成樹脂材やゴム材の被覆材９を１〜５ｍｍ等の所要の厚さに浸漬したり、塗布して被覆し、設置面台７の周縁部に当っても、ソフトに接触して損傷を免れるようにしておくことが好ましい。
【００２７】
また、支柱３の上端部にコンテナ１のカバーシート（図示せず）を円滑に開閉可能に、ローラーや算盤玉状体等の転動体等の転動用のガイド１０を設けて、コンテナ１に被せるカバーシートを破れなく、スムーズに被着したり、開放したりするようにできる。
【００２８】
図４、図５は、コンテナ１の前方側の支柱３の下端部の外側面を上方に向かって４５°〜７５°の切欠状態の傾斜面１１としたものとし、この斜め状の下端部に設置面台７を図４、図５のように設け、法改正がなされて運搬車のバンパーが背高くなり、コンテナ１の積み卸しの際に支柱３の下端部に当たらないようにして損傷を免れるようにしている。
【００２９】
本実施例の場合、設置面台７の前方側は、支柱３の切欠状態の傾斜面１１に沿わせることが好ましいが、離すこともでき、また必要により上記のように傾斜面１１の外側へ突き出すこともできる。なお、支柱３の傾斜面１１に上記したように被覆材９を被覆しておくこともできる。
【００３０】
上記した設置面台７は、後方の支柱４にも適用可能であり、またこれらの設置面台７は図６（ａ）のように円盤状や楕円盤状などや、図６（ｂ）のように上面を補強材１２で閉鎖状に形成するなど、上記した本考案の趣旨にもとづいて適宜な変形態様を採用することができる。１３は側面補強材、１４は前面補強材、１５は脱着装着材、１６は開閉用蝶番、１７は開閉用ロックである。
【実施例】
【００３１】
図１〜図４は、本考案の一実施例を示すものである。廃材のコンテナ１は、１０トン用のもので、コンテナ本体２を３．２ｍｍ厚さの耐摩耗鋼、高張力鋼板のスエーデン鋼板（ドメックスウエア）で断面がＵ字状の箱状に形成し、この箱状としたコンテナ本体２の４隅のコーナー部に所要の剛性の支柱３、４をそれぞれ立設して一体的に形成し、後方下部に転動用のローラー５を設け、後部に開閉可能な排出扉６を設けて廃材を排出できるようにしている。
【００３２】
このコンテナ本体２の前部側の左右の支柱３は、図１〜図３のように所要の太さの角パイプ材とし、図４のようにその下端部に５ｍｍ厚さの鋼板を側方へ４５°の上方側に向かって、支柱３のまわりに３０ｍｍ程側方に突き出る設置面台７を装着している。
【００３３】
そのため、コンテナ１を運搬車に積み込んだり、所定の路面等に積み卸しても、運搬車の搭載面や路面のコンクリートに引っ掛からず、円滑に積み卸しすることができ、家庭ごみ、廃棄物、汚泥、残土などの廃材を迅速に廃却場に廃却することができる。
【００３４】
なお、図１のように上記支柱３に、目盛８を付して、１ｍ3 、２ｍ3 、３ｍ3 ・・・７ｍ3 等の廃材の収容量を表示することによって、誰でもが容易に収容している廃材量が分かり、またその収容できる残量を知ることができ、コンテナ１に所要量の廃材を装填していることが分かって好ましい。
【００３５】
図４、図５は、コンテナ本体２の前方側の支柱３の下端部の外側面を上方に向かって４５°の切欠状態の傾斜面１１とし、この斜め状の下端部に支柱３の切欠状態の傾斜面１１に沿って設置面台７を図のように設けたものである。
【００３６】
本実施例では、法改正がなされて運搬車のバンパーが背高くなっても、コンテナ１の積み卸しの際に支柱３の下端部に当たらないようにできて損傷を免れるようにできる。
【００３７】
なお、上記した設置面台７の周縁部にポレウレタンの合成樹脂の被覆材９を５ｍｍ等の所要の厚さに被覆し、設置面台７の周縁部が当っても、ソフトに接触して損傷を免れるようにできて好ましい。
【００３８】
上記した設置面台７は、後方の支柱４にも適用可能であり、また上記したようにこれらの設置面台７は図６（ａ）のように円盤状や楕円盤状などや、図６（ｂ）のように上面を補強材１２で閉鎖状に形成して補強するなど、上記した本考案の趣旨にもとづいて適宜な変形態様を採用することができる。
【産業上の利用可能性】
【００３９】
本考案は、廃材処理分野における家庭ごみ、廃棄物、汚泥、残土などの廃材を収容して、搬送する廃材コンテナに利用できるものである。
【符号の説明】
【００４０】
１…コンテナ    ２…コンテナ本体      ３…支柱      ４…支柱    ７…設置面台    ８…目盛        ９…被覆材          １０…ガイド  １１…傾斜面台
【図１】
0003180149.tif 000003
【図２】
0003180149.tif 000004
【図３】
0003180149.tif 000005
【図４】
0003180149.tif 000006
【図５】
0003180149.tif 000007
【図６】
0003180149.tif 000008
【図７】
0003180149.tif 000009